(57)【要約】サービス提供中の無線通信基地局から目標無線通信基地局へのユーザ装置のハンドオーバーが実行されるとき、上記ユーザ装置が上記サービス提供中の無線通信基地局と上記目標無線通信基地局とによってサポートされるＭＩＭＯモードで動作していることがハンドオーバーの前に確実にされる。これは、上記ユーザ装置と上記サービス提供中の無線通信基地局とによって共同でサポートされる潜在的ＭＩＭＯモードを含む第１モードリストと、上記ユーザ装置と上記目標無線通信基地局とによって共同でサポートされる潜在的ＭＩＭＯモードを含む第２モードリストとを比較して共通モードリストを作成することによって達成され得る。【選択図】図１
2010506489.tif 000002
【特許請求の範囲】
【請求項１】
サービス提供中のノード基地局から目標無線通信基地局へのユーザ装置のハンドオーバーを実行する方法であって、前記方法は、
前記ユーザ装置がハンドオーバーの前に前記サービス提供中のノード基地局と前記目標無線通信基地局とによってサポートされるＭＩＭＯモードで動作していることを保証する処理を備える、方法。
【請求項２】
ハンドオーバーを実行するネットワーク構成要素は、前記ユーザ装置と前記サービス提供中のノード基地局と目標ノード基地局とによって共同でサポートされるＭＩＭＯモードのリストを保持している、請求項１に記載の方法。
【請求項３】
前記サービス提供中のノード基地局は、前記ユーザ装置と前記サービス提供中のノード基地局とによって共同でサポートされる潜在的ＭＩＭＯモードを含む第１モードリストを作成し、前記ユーザ装置と前記サービス提供中のノード基地局と目標無線通信基地局とによって共同でサポートされる前記ＭＩＭＯモードのリストを備える共通モードリストを作成する、請求項２に記載の方法。
【請求項４】
前記サービス提供中のノード基地局は、前記目標無線通信基地局によってサポートされるモードについての情報を前記目標無線通信基地局から直接取得する、請求項３に記載の方法。
【請求項５】
前記ユーザ装置と前記サービス提供中の無線通信基地局とによって共同でサポートされる潜在的ＭＩＭＯモードを含む第１モードリストを作成する処理と、
前記ユーザ装置と前記目標無線通信基地局とによって共同でサポートされる潜在的ＭＩＭＯモードを含む第２モードリストを作成する処理と、
を備える請求項１又は２に記載の方法。
【請求項６】
ネットワーク制御要素は、前記第１モードのリスト及び前記第２モードリストを作成し、前記ユーザ装置と前記サービス提供中の無線通信基地局と目標無線通信基地局とによって共同でサポートされるＭＩＭＯモードの前記リストを含む共通モードリストを作成する、請求項５に記載の方法。
【請求項７】
ハンドオーバーを実行する前に、前記サービス提供中の無線通信基地局と前記目標無線通信基地局とによってサポートされる推奨モードを選択する処理と、
前記サービス提供中の無線通信基地局の動作を前記推奨モードに切り替える処理と、を備える先行するすべての請求項のいずれか１項に記載の方法。
【請求項８】
前記ユーザ装置によって報告される測定値に基づいて前記推奨モードが選択される、請求項７に記載の方法。
【請求項９】
前記推奨モードは、サービス対象要求の質を満たす能力に基づいて選択される、請求項７に記載の方法。
【請求項１０】
前記サービス提供中の無線通信基地局と前記目標無線通信基地局とによってサポートされるＭＩＭＯモードが存在しないときに、前記推奨モードとして非ＭＩＭＯモードを選択する処理を備える、請求項７に記載の方法。
【請求項１１】
ネットワーク制御要素は、前記サービス提供中の無線通信基地局に前記推奨モードへ切り替えるようにハンドオーバーの前に要求する、請求項７に記載の方法。
【請求項１２】
ハンドオーバーを実行するネットワーク制御要素は、前記目標無線通信基地局に、前記サービス提供中の無線通信基地局と前記目標ノード基地局とによってサポートされる前記モードを使用するように要求する、先行するすべての請求項のいずれかに記載の方法。
【請求項１３】
前記要求は、ハンドオーバーの実行段階の開始前になされる、請求項１２に記載の方法。
【請求項１４】
前記要求は、ハンドオーバーの実行段階中になされる、請求項１２に記載の方法。
【請求項１５】
前記要求は、ハンドオーバーの正常終了後になされる、請求項１２に記載の方法。
【請求項１６】
セルラー通信ネットワークに使用されるための無線通信基地局であって、
前記無線通信基地局は、ユーザ装置に対してサービス提供中の無線通信基地局として動作するとき、前記ユーザ装置と前記無線通信基地局とによって共同でサポートされる潜在的ＭＩＭＯモードを含む第１モードリストを作成するように構成された、無線通信基地局。
【請求項１７】
前記無線通信基地局は、目標無線通信基地局へのハンドオーバーを実行するための準備をするとき、前記ユーザ装置とサービス提供中の無線通信基地局として動作する前記無線通信基地局と前記目標無線通信基地局とによって共同でサポートされるＭＩＭＯモードのリストを備える共通モードリストを作成するように構成された、請求項１６に記載の無線通信基地局。
【請求項１８】
前記無線通信基地局は、ハンドオーバーを実行する前に、共同でサポートされるＭＩＭＯモードの前記リストから１のＭＩＭＯモードを選択するように構成された、請求項１７に記載の無線通信基地局。
【請求項１９】
前記無線通信基地局は、前記目標無線通信基地局に選択された前記ＭＩＭＯモードを通知するように構成される、請求項１８に記載の無線通信基地局。
【請求項２０】
ネットワークコントローラーであって、前記ネットワークコントローラーがサービス提供中の無線通信基地局から目標無線通信基地局へのユーザ装置のハンドオーバーを実行するために準備をするとき、前記ネットワークコントローラーは、
前記ユーザ装置がハンドオーバーの前に前記サービス提供中の無線通信基地局と前記目標無線通信基地局とによってサポートされるＭＩＭＯモードの１つで動作していることを確実にするように構成された、ネットワークコントローラ。
【請求項２１】
前記ネットワークコントローラは、前記ユーザ装置と前記サービス提供中の無線通信基地局と目標無線通信基地局とによって共同でサポートされるＭＩＭＯモードのリストを保持するように構成された、請求項２０に記載のネットワークコントローラ。
【発明の詳細な説明】
【技術分野】
【０００１】
本発明は、移動通信システムに関し、特に、ネットワークの種々のノードにおいて種々のＭＩＭＯモードを利用可能なセルラーシステムに関する。
【０００２】
ここ数年にわたって、無線チャネルを介して高速でデータを配信するために複数の送信機及び受信アンテナを用いることについて多くの研究が行われてきた。複数の送信機及び受信アンテナを有するシステムは、多元入力多元出力（ＭＩＭＯ）システムと呼ばれる。種々の複数アンテナ方式が提案されており、種々の方式は、無線通信チャンネルの種々の特性を利用することができるという点において、さまざまな長所を有している。
【０００３】
種々の空間処理は、スペクトル効率、ダイバーシティ、可能範囲サービスエリア、干渉緩和、及び、その他を改善するために大いに貢献する可能性を有する。例えば、アンテナ毎速度制御（ＰＡＲＣ）と表現される提案は、独立したシンボルストリームを伝えることによって、原理上、高いスペクトル効率を実現できる。代替案である受信機ダイバーシティは、複数範囲における冗長を導入することによってリンク信頼性を増大させるが、ＰＡＲＣ提案と同じような改良されたスペクトル効率を提供しない。
【０００４】
原理上、一つの空間処理アルゴリズムに対応するそれぞれのＭＩＭＯメソッドは、多重化又はダイバーシティ利得のいずれかをもたらす。しかし、２つのタイプの性能向上の間において合理的なトレードオフを見つけるように構成されてもよい。
【０００５】
従って、システムモードを変更することによってシステムパフォーマンスを改良できることがわかる。しかし、種々のＭＩＭＯ概念は、いろいろな種類の測定レポートを必要とし、モード切替は、ハイブリッドＡＲＱ（ＨＡＲＱ）などのその他の処理のパフォーマンスに影響を与えるだろう。例えば、モード切替の間に、ノード基地局又は無線ネットワークコントローラ（ＲＮＣ）が優先度の高い他の処理（例えば、ハンドオーバー）を行っていれば、ハンドオーバーの負荷の大きい信号伝達によって、モード切替は、ＨＡＲＱ処理の欠損又はＨＡＲＱのソフト合成処理の欠損に至るかもしれない。
【０００６】
米国特許第６９３７５９２号は、通信仕様の変化に応じて空間多重化と非空間多重化との間で、動作モードを状況に合わせて変化させることができる無線通信システムを記載する。
【発明の概要】
【０００７】
本発明の第１の観点によれば、サービス提供中の無線通信基地局から目標無線通信基地局へのユーザ装置のハンドオーバーを実行する方法であって、上記方法は、上記ユーザ装置がハンドオーバー前に上記サービス提供中の無線通信基地局及び上記目標無線通信基地局によってサポートされるＭＩＭＯモードで動作していることを保証する処理を備える方法が提供される。
【０００８】
本発明の第２の観点によれば、移動通信ネットワークにおいて使用される無線通信基地局であって、上記無線通信基地局は、ユーザ装置に対してサービス提供中の無線通信基地局として動作するとき、上記ユーザ装置と上記無線通信基地局とによって共同でサポートされる潜在的ＭＩＭＯモードを含む第１モードリストを作成するように構成された、無線通信基地局が提供される。
【０００９】
本発明の第３の観点によれば、ネットワークコントローラーであって、上記ネットワークコントローラーがサービス提供中の無線通信基地局から目標無線通信基地局へのユーザ装置のハンドオーバーを実行するために準備をするとき、上記ネットワークコントローラーは、上記ユーザ装置がハンドオーバーの前に上記サービス提供中の無線通信基地局と上記目標無線通信基地局とによってサポートされるＭＩＭＯモードの１つで動作していることを保証するように構成された、ネットワークコントローラが提供される。
【図面の簡単な説明】
【００１０】
本発明をより良く理解するために、一例として、添付図面について言及する。
【図１】図１は、本発明に従った無線通信システムの概念図である。
【図２】図２は、本発明に従った方法を図示するフローチャートである。
【図３】図３は、本発明の一実施形態に係る図１のシステムの信号伝達を図示する。
【図４】図４は、本発明に従った更なる無線通信システムの概念図である。
【図５】図５は、本発明の一実施形態に係る図４のシステムにおける信号伝達が図示される。
【発明を実施するための形態】
【００１１】
図１は、移動無線通信システム１０の一部を図示する概念図である。図１は、特に、ユーザ装置（ＵＥ）２０等のようなサービス可能範囲内において移動するモバイル機器にネットワークの利用可能な範囲を提供するノード基地局１２、１４、１６及び１８を示している。ノード基地局１２、１４、１６及び１８は、それぞれ、アクセスゲートウェイ（ａＧＷ）２２への接続手段を有する。実際には、システム１０がはるかに多くのノード基地局及びはるかに多くのモバイル機器を含むことは、当業者に明らかであるが、図１に示されたシステムは、本願発明の説明のために充分である。
【００１２】
図１は分散型のシステムを示しており、アクセスゲートウェイ２２は、ユーザプレーン切替だけを実行し、無線通信関連情報を転送しない。ノード基地局１２とノード基地局１４との間のリンク２４等のような論理リンクが提供され、ノード基地局とノード基地局との様々なインターフェースを介して無線通信関連情報の交換が行われる。
【００１３】
図２は、本発明のある観点に従った方法を図示したフローチャートである。
【００１４】
本方法は、図１のユーザ装置（ＵＥ）２０のようなモバイル機器が図１のノード基地局１２のようなサービス提供中のノード基地局のサービスエリア内に存在し、図１のノード基地局１４のような目標ノード基地局へのハンドオーバーが意図される状況に関する。
【００１５】
本明細書において、「ハンドオーバー（ｈａｎｄｏｖｅｒ）」という用語は、例えば、セル内のハンドオーバー、セル間のハンドオーバー、異システム間のハンドオーバー、及び、セル変更のようなすべての種類のハンドオーバーを意味するものとして使用される。
【００１６】
ステップ４０では、仮想モードリスト（ＶＭＬ）がサービス提供中のノード基地局のために作成される。ここで使用されるように、「仮想モードリスト」という用語は、ユーザ装置及び関連ノード基地局によって共同でサポートされ得る種々のＭＩＭＯモードのような、可能なすべてのモードのリストに言及する。すなわち、ユーザｉのための仮想モードリストＶＶＭＬ＿ｓｅｒｖｉｎｇは、ｉ番目のユーザ装置及びサービス提供中のノード基地局の両方によってサポートされるこれらのモードを含むリストである。したがって、ＶＶＭＬ＿ｓｅｒｖｉｎｇは、下記式：
ＶＶＭＬ＿ｓｅｒｖｉｎｇ＝ＶＵＥ∩ＶＮｏｄｅＢ＿ｓｅｒｖｉｎｇ＝［α１，α２，…，αＭ］
上記式において、ＶＵＥ及びＶＮｏｄｅＢ＿ｓｅｒｖｉｎｇは、それぞれ、ユーザ装置によってサポートされるモード、及び、サービス提供中のノード基地局によってサポートされるモードを示し、「α」は、ＭＩＭＯモードＩＤを示す。
【００１７】
図１に示された分散型構造の場合、仮想モードリスト（ＶＭＬ）は、サービス提供中のノード基地局（例えば、図１のノード基地局１２）において構築され、保持される。特に、ユーザ装置は、自身のＭＩＭＯモード能力をサービス提供中のノード基地局に通知し、サービス提供中のノード基地局は、自身及びこれらのユーザ装置の能力に基づいて仮想モードリストを構築する。以下でさらに詳細が論じられるように、ハンドオーバーを決定及び実行するネットワーク構成要素によって仮想モードリストが保持されることは有益である。しかしながら、仮想モードリストは、ユーザ装置、ノード基地局、無線通信ネットワークコントローラー（ＲＮＣ）、又は、その他のネットワーク構成要素によって構築され得る。
【００１８】
ステップ４２では、仮想モードリスト（ＶＭＬ）が目標ノード基地局のために作成される。すでに述べたように、仮想モードリストは、ユーザ装置及び関連ノード基地局によって共同でサポートされる可能なモードのすべてのリストである。すなわち、ユーザｉのための仮想モードリストＶＶＭＬ＿ｔａｒｇｅｔは、ｉ番目のユーザ装置及び目標ノード基地局の両方によってサポートされるこれらのモードを含むリストである。したがって、ＶＶＭＬ＿ｓｅｒｖｉｎｇは、下記式：
ＶＶＭＬ＿ｔａｒｇｅｔ＝ＶＵＥ∩ＶＮｏｄｅＢ＿ｔａｒｇｅｔ＝［α１，α２，…，αＭ］
上記式において、ＶＵＥ及びＶＮｏｄｅＢ＿ｓｅｒｖｉｎｇは、それぞれ、ユーザ装置によってサポートされるモード、及び、サービス提供中のノード基地局によってサポートされるモードを示し、「α」は、ＭＩＭＯモードＩＤを示す。
【００１９】
この場合も先と同様に、図１に示された分散型構造の場合において、仮想モードリスト（ＶＭＬ）は、関連ノード基地局（この場合、図１の目標ノード基地局１４である。）において構築及び保持される。特に、ユーザ装置のＭＩＭＯモード能力は、目標ノード基地局に通知されるので、目標仮想モードリストを構築することができる。
【００２０】
ステップ４４では、共通仮想モードリストを作成するために、サービス提供中のノード基地局のための、及び、目標ノード基地局のための２つの仮想モードリストが交換される。共通仮想モードリスト（ＶＶＭＬ＿ｃ）は、特定のユーザ装置のためにサービス提供中のノード基地局及び目標ノード基地局によってサポートされ得るＭＩＭＯモードのセットを含む。ｉ番目のユーザのための共通仮想モードリスト（ＶＶＭＬ＿ｃ）は、下記のように構築される。
ＶＶＭＬ＿ｃ＝ＶＵＥ∩ＶＮｏｄｅＢ＿ｓｅｒｖｉｎｇ∩ＶＮｏｄｅＢ＿ｔａｒｇｅｔ＝［α１，α２，…，αＬ］
上記式において、ＶＵＥ、ＶＮｏｄｅＢ＿ｓｅｒｖｉｎｇ及びＶＮｏｄｅＢ＿ｔａｒｇｅｔは、それぞれ、ユーザ装置によってサポートされるモード、サービス提供中のノード基地局によってサポートされるモード、及び、目標ノード基地局によってサポートされるモードを示し、「α」は、ＶＶＭＬ＿ｃに属するＭＩＭＯモードのＩＤを示す。
【００２１】
この情報交換は、図１に示されるインターフェース２４のようなノード基地局とノード基地局との直接インターフェースで行われる。サービス提供中のノード基地局がハンドオーバーを制御するところでは、目標ノード基地局のために作成された仮想モードリストがサービス提供中のノード基地局に送信されることだけが必要である。サービス提供中のノードは、所定のユーザ装置のために、サービス提供中のノード基地局と目標ノード基地局との間で共通仮想モードリストを構築するために、ノード基地局とノード基地局との直接インターフェースを介して、目標ノード基地局に自身のモード能力を報告するように要求してもよい。
【００２２】
ステップ４６では、サービス提供中のノード基地局１２において使用される現在のＭＩＭＯモードが目標ノード基地局１４でサポートされているか否か、すなわち、それが共通仮想モードリストに存在する否かを判定する。
【００２３】
もしステップ４６で現在のＭＩＭＯモードが共通仮想モードリストにないと判定されると、処理は、共通仮想モードリストがＭＩＭＯモードを含んでいるか否かを判定するステップ４８に移行する。
【００２４】
ステップ４８で、共通仮想モードリストが少なくとも１つのＭＩＭＯモードを含むと判定されると、処理は、共通仮想モードリストがそのようなＭＩＭＯモードを１より多く含むか否かを判定するステップ５０に移行する。
【００２５】
ステップ５０で共通仮想モードリストがＭＩＭＯモードを１より多く含むと判定されると、処理は、これらのモードの１つを最良の共通モードとして選択するステップ５２に移行する。共通仮想モードリストのどのモードが最良のモードとみなされるかについては、継続的な接続の要求に基づいて決定される。最良のモードは、例えば、サービス可能範囲又は収容可能数に基づいて決定されるか、サービス要求の質を最も満たすモードとして決定されるか、又は、ユーザ装置測定レポートに基づいて決定される。
【００２６】
ステップ５２の処理で利用可能なモードの１つが選択されるか、又は、ステップ５０で共通仮想モードリストが１のみのＭＩＭＯモードを含むと判定されると、処理は、サービス提供中のノード基地局が適切なモードへのモード切替を実行するステップ５４に移行する。
【００２７】
適切なモードへの切替が行われたとすると、処理は、ハンドオーバーが実行される間のさらなるモード変更を防ぐための処置が行われるステップ５６に移行する。さらに、処理は、ハンドオーバーが実行されるステップ５８に移行する。
【００２８】
ステップ４６で現在のＭＩＭＯモードが共通仮想モードリストに含まれていると判定されると、図示される本発明の一実施形態において、モード切替は行われず、処理は、それぞれ、モード切替が禁止されるステップ５６、及び、ハンドオーバーが実行されるステップ５８に直接移行する。本発明の他の実施形態において、共通仮想モードリストの他のモードにモードを切り替えることは、この段階において行われ得ることが明らかである。
【００２９】
ステップ４８において、ユーザ装置２０によって、かつ、サービス提供中のノード基地局１２及び目標ノード基地局１４の両方によってサポートされるモードがないと判定されると、図示される本発明の一実施形態において、例えば、１元入力１元出力（ＳＩＳＯ）又は１元入力多元出力（ＳＩＭＯ）等の非ＭＩＭＯ概念がハンドオーバーを単純化するために選択されるステップ６０に移行し、処理がステップ５８に移行する前に適切なモード切替が実行される。
【００３０】
ハンドオーバー処置は、一般的に従来から行われるものであり、ハンドオーバーが完了した時に目標ノード基地局が望ましいＭＩＭＯモードを使用して動作することを保証するステップが行われる点を除き、ここでは、更に説明されない。
【００３１】
図３は、サービス提供中のノード基地局１２と目標ノード基地局１４との間におけるメッセージの流れを示す概念図である。
【００３２】
図３は、特に、モード切替７０がサービス提供中のノード基地局１２で実行された後に、サービス提供中のノード基地局１２と目標ノード基地局１４との間のメッセージ７２、７４及び７６を含みながらハンドオーバー処置が行われることを示す。これらのメッセージは、ハンドオーバー処置において伝送されるメッセージの代表にすぎず、本発明と関係がないのでこれらの内容については、さらなる説明が行われない。
【００３３】
図３は、サービス提供中のノード基地局１２から目標ノード基地局１４にメッセージが送信され得る機会が少なくとも３回あり得ることも示している。
【００３４】
第一のオプションとして、ハンドオーバー処置が始まる前に、目標ノード基地局が特定のＭＩＭＯモードで動作を開始すべきことを示すメッセージ７８は、サービス提供中のノード基地局１２から目標ノード基地局１４に送信され得る。このことは、目標ノード基地局が要求されたモードで開始するための充分な時間が与えられるという有利性を有し、このことは、中断されないことが望ましいソフトハンドオーバーのために特に有利になり得る。
【００３５】
第二のオプションとして、ハンドオーバー処置において、目標ノード基地局が特定のＭＩＭＯモードで動作を開始すべきであることを示すメッセージ８０は、例えば、ハンドオーバー関連のメッセージの１つに重畳されて、サービス提供中のノード基地局１２から目標ノード基地局１４に送信され得る。このオプションは、ある程度、シグナリングオーバーヘッドを減少させることができるが、目標ノード基地局は、多数の作業を同時に処理することを要求されるだろう。
【００３６】
第三のオプションとして、目標ノード基地局が特定のＭＩＭＯモードで動作を開始すべきであることを示すメッセージ８２は、サービス提供中のノード基地局１２から目標ノードノード基地局１４にハンドオーバー処置直後に送信され得る。このオプションは、ハンドオーバーのより長い中断に至り得るが、ハンドオーバーが完了した後にだけメッセージ８２が送られ得るので、ハンドオーバー失敗の場合の信号伝達の浪費に至らないという長所を有する。
【００３７】
サービス提供中のノード基地局１２と目標ノードノード基地局１４とによって共同でサポートされるモードが存在しないと判定されると、それによって、ＭＩＭＯモードが選択されないが、目標ノード基地局に、目標ノード基地局が共に動作を開始すべきノードを通知するために、同じ３つのオプションが存在する。
【００３８】
図４は、他の移動無線通信システム９０の一部を図示する概念図である。図４は、特に、ユーザ装置（ＵＥ）１００のようなネットワーク利用可能範囲内で移動するモバイル機器にセルラーネットワークの利用可能範囲を提供する４つのノード基地局９２、９４、９６及び９８を示している。ノード基地局９２、９４、９６及び９８は、それぞれ、複合された無線通信ネットワークコントローラー及びアクセスゲートウェイ（ＲＮＣ／ａＧＷ）１１０への接続１０２、１０４、１０６及び１０８を有する。この場合もやはり、システム１０が実際にははるかに多くのノード基地局及びはるかに多くのモバイル機器を含むことは、当業者にとって明らかであるが、図４に示されたシステムは、本願発明の説明のためには充分である。
【００３９】
図４は、ＲＮＣ／ａＧＷ１１０がユーザ及び制御プレーンの切り替えを実行し、無線通信関連情報をも処理する中央集権化された構造を示す。
【００４０】
このシステムの場合では、ＲＮＣ／ａＧＷ１１０の制御下で処理が行われるという点では、図２を参照して説明された方法とは異なるものの、図２に図示されたように行われる方法が存在する。
【００４１】
したがって、ＲＮＣ／ａＧＷ１１０は、ユーザ装置１００及び種々のノード基地局の能力を把握しており、したがって、目標ノード基地局及びサービス提供中のノード基地局のための仮想モードリスト並びに共通仮想モードリストを構築、維持することができる。
【００４２】
図２の手順に必要とされるいずれのモード切替もまた、この場合では、ＲＮＣ／ａＧＷ１１０の制御下で行われる。さらに、ＲＮＣ／ａＧＷ１１０は、ハンドオーバー処置を制御し、また、目標ノード基地局にハンドオーバー後に使用されるモードを通知する責任を負う。
【００４３】
図５は、ＲＮＣ／ａＧＷ１１０とサービス提供中のノード基地局（例えば、ノード基地局９２）と目標ノード基地局（例えば、ノード基地局９４）との間で流れるメッセージを示す概念図である。
【００４４】
図５は、特に、ＲＮＣ／ａＧＷ１１０は、図２に示される処理のステップ５４において、サービス提供中のノード基地局９２に特定のモードに切り替えるように指示するメッセージ１２０を送ることを示している。これが行われると、ノード基地局９２は、確認メッセージ１２２を返す。
【００４５】
従って、ＲＮＣ／ａＧＷ１１０とサービス提供中のノード基地局９２と目標ノード基地局９４との間のメッセージ１２４、１２６及び１２８を伴ってハンドオーバー処置が行われる。これらのメッセージは、ハンドオーバー処置において送信されるメッセージの代表的なものに過ぎず、本発明に関連しないのでその内容にはさらに説明されない。
【００４６】
図５は、目標ノード基地局が特定のＭＩＭＯモードで動作を開始すべきことを示すメッセージが、ＲＮＣ／ａＧＷ１１０から目標ノード基地局９４に送信され得る機会が少なくとも３回ある得ることも示している。
【００４７】
第一のオプションとして、メッセージ１３０は、ハンドオーバー処置が開始される前にＲＮＣ／ａＧＷ１１０から目標ノード基地局９４に送信され得る。これは、目標ノード基地局が要求されたモードを開始するための充分な時間を有するということにおいて主たる長所を有し、これは、中断が起こらないことが望まれるソフトハンドオーバーのために特に有利になり得る。
【００４８】
第二のオプションとして、メッセージ１３２は、例えば、ハンドオーバー関連のメッセージの１つに重畳されて、ハンドオーバー処置中にＲＮＣ／ａＧＷ１１０から目標ノード基地局９４に送信され得る。このオプションは、信号伝達のオーバーヘッドをある程度減少させるが、それは、目標ノード基地局が同時にたくさんの作業を処理することを要求されることを意味する。
【００４９】
第三のオプションとして、メッセージ１３４は、ハンドオーバー処置直後にＲＮＣ／ａＧＷ１１０から目標ノード基地局９４に送信され得る。このオプションは、ハンドオーバー処置のより長い中断に至るかもしれないが、ハンドオーバー処置が完了した後にだけメッセージ１３４が送信され、ハンドオーバー処置が失敗した場合において信号伝達の浪費に至らないことにおいて長所がある。
【００５０】
サービス提供中のノード基地局１２及び目標ノード基地局１４によってサポートされるＭＩＭＯモードが存在しないと判定され、非ＭＩＭＯモードが選択されたところでは、したがって、目標ノード基地局に共に動作を開始すべきノードを通知するために、同じ３つのオプションが存在することは明らかであろう。
ＨＡＲＱとハンドオーバー処置とは、実行時間スケールが大いに異なり、ハンドオーバー処置においていくつかのＨＡＲＱ伝送が存在し得る。コールドロッピング（ｃａｌｌ  ｄｒｏｐｐｉｎｇ）を防ぐために、ハンドオーバー処置は、ＨＡＲＱよりも高い優先度を有する。なお、ユーザ装置は、例えば、処理されうる並行処理の数の観点において、処理能力が限られている。従って、もしハンドオーバー処置中に複数のＨＡＲＱ伝送が必要とされ、ハンドオーバー処置中にモードも切り替えられると、これらは、適切に行われないかもしれない。それゆえ、ここに記載されるモード切替は、ＨＡＲＱ処理の欠損を防ぎ、それによって、ハンドオーバー処置におけるＨＡＲＱのパフォーマンス低下を防ぐ。さらに、もしユーザ装置がサービス提供中のノード基地局及び目標ノード基地局において使用され得る共通モードにハンドオーバーに先立って切り替われば、ハンドオーバー処理の遅延もまた、減少させることができる。
【００５１】
上述したように、関連ノード基地局が適切なＭＩＭＯモードで動作していることを保証することにより、ハンドオーバー処置を単純化するために使用されうる方法及びネットワーク構成要素が存在する。
【図１】
2010506489.tif 000003
【図２】
2010506489.tif 000004
【図３】
2010506489.tif 000005
【図４】
2010506489.tif 000006
【図５】
2010506489.tif 000007
【手続補正書】
【提出日】平成20年7月28日(2008.7.28)
【手続補正１】
【補正対象書類名】特許請求の範囲
【補正対象項目名】全文
【補正方法】変更
【補正の内容】
【特許請求の範囲】
【請求項１】
サービス提供中の無線通信基地局から目標無線通信基地局へのユーザ装置のハンドオーバーを実行する方法であって、
ハンドオーバーを実行するネットワーク構成要素は、前記ユーザ装置と前記サービス提供中の無線通信基地局と前記目標無線通信基地局とによって共同でサポートされるＭＩＭＯモードのリストを保持し、
前記方法は、前記ユーザ装置がハンドオーバーの前に前記サービス提供中の無線通信基地局と前記目標無線通信基地局とによってサポートされるＭＩＭＯモードの１つで動作していることを保証する処理を備える、方法。
【請求項２】
前記サービス提供中の無線通信基地局は、前記ユーザ装置と前記サービス提供中の無線通信基地局とによって共同でサポートされる潜在的ＭＩＭＯモードを含む第１のモードリストを作成し、前記ユーザ装置と前記サービス提供中の無線通信基地局と目標無線通信基地局とによって共同でサポートされる前記ＭＩＭＯモードのリストを備える共通モードリストを作成する、請求項１に記載の方法。
【請求項３】
前記サービス提供中の無線通信基地局は、前記目標無線通信基地局によってサポートされるモードについての情報を前記目標無線通信基地局から直接取得する、請求項２に記載の方法。
【請求項４】
前記ユーザ装置と前記サービス提供中の無線通信基地局とによって共同でサポートされる潜在的ＭＩＭＯモードを含む第１モードリストを作成する処理と、
前記ユーザ装置と前記目標無線通信基地局とによって共同でサポートされる潜在的ＭＩＭＯモードを備える第２モードリストを作成する処理と、
を備える請求項１に記載の方法。
【請求項５】
ネットワーク制御要素は、前記第１モードリスト及び前記第２モードリストを作成し、前記ユーザ装置と前記サービス提供中の無線通信基地局と目標無線通信基地局とによって共同でサポートされるＭＩＭＯモードの前記リストを備える共通モードリストを作成する、請求項４に記載の方法。
【請求項６】
ハンドオーバーを実行する前に前記サービス提供中の無線通信基地局と前記目標無線通信基地局とによってサポートされる推奨モードを選択する処理と、
前記サービス提供中の無線通信基地局の動作を前記推奨モードに切り替える処理と、を備える先行するすべての請求項のいずれか１項に記載の方法。
【請求項７】
前記ユーザ装置によって報告される測定値に基づいて前記推奨モードが選択される、請求項６に記載の方法。
【請求項８】
前記推奨モードは、サービス対象要件の質を満たす能力に基づいて選択される、請求項６に記載の方法。
【請求項９】
ネットワーク制御要素は、前記サービス提供中の無線通信基地局に前記推奨モードへ切り替えるようにハンドオーバーの前に要求する、請求項６に記載の方法。
【請求項１０】
ハンドオーバーを実行するネットワーク制御要素は、前記目標無線通信基地局に前記サービス提供中の無線通信基地局と前記目標無線通信基地局とによってサポートされる前記モードを使用するように要求する、先行するすべての請求項のいずれか１項に記載の方法。
【請求項１１】
前記要求は、ハンドオーバーの実行前になされる、請求項１０に記載の方法。
【請求項１２】
前記要求は、ハンドオーバーの実行段階中になされる、請求項１０に記載の方法。
【請求項１３】
前記要求は、ハンドオーバー処置の正常終了後になされる、請求項１０に記載の方法。
【請求項１４】
セルラー通信ネットワークに使用されるための無線通信基地局であって、
前記無線通信基地局は、ユーザ装置に対してサービス提供中の無線通信基地局として動作するとき、前記ユーザ装置と前記無線通信基地局とによって共同でサポートされる潜在的ＭＩＭＯモードを含む第１モードリストを作成するように構成された、無線通信基地局。
【請求項１５】
前記無線通信基地局は、目標無線通信基地局へのハンドオーバーを実行するための準備をするとき、前記ユーザ装置とサービス提供中の無線通信基地局として動作する前記無線通信基地局と前記目標無線通信基地局とによって共同でサポートされるＭＩＭＯモードのリストを備える共通モードリストを作成するように構成された、請求項１４に記載の無線通信基地局。
【請求項１６】
前記無線通信基地局は、ハンドオーバーを実行する前に共同でサポートされるＭＩＭＯモードの前記リストから１のＭＩＭＯモードを選択するように構成された、請求項１５に記載の無線通信基地局。
【請求項１７】
前記無線通信基地局は、前記目標無線通信基地局に選択された前記ＭＩＭＯモードを通知するように構成された、請求項１６に記載の無線通信基地局。
【請求項１８】
ネットワークコントローラーであって、前記ネットワークコントローラーがサービス提供中の無線通信基地局から目標無線通信基地局へのユーザ装置のハンドオーバーを実行するために準備をするとき、前記ネットワークコントローラーは、
前記ユーザ装置と前記サービス提供中の無線通信基地局と前記目標無線通信基地局とによって共同でサポートされるＭＩＭＯモードのリストを保持し、
前記ユーザ装置がハンドオーバーの前に前記サービス提供中の無線通信基地局と前記目標無線通信基地局とによってサポートされるＭＩＭＯモードの１つで動作していることを確実にするように構成された、ネットワークコントローラ。
【国際調査報告】
2010506489.tif 000008
2010506489.tif 000009
2010506489.tif 000010